(57)【要約】【課題】濾過した後の穿孔屑等の固形分の廃棄が容易に行えて、穿孔作業全体の効率を改善することができるコンクリートドリルの冷却水濾過システムを提供する。【解決手段】フィルタ素材により袋状に形成されるとともに上部が開口されたバッグフィルタ１３ａ、１３ｂをコンクリートドリル２に接続した密閉容器１４ａ、１４ｂ内に収容配置するとともに、該密封容器１４ａ、１４ｂを負圧発生手段１５と過圧発生手段１６とに切換手段１７を介して交互に接続させることにより、密閉容器１４ａ、１４ｂ内に負圧を生じさせてコンクリートドリル２から混濁冷却水をバッグフィルタ１３ａ、１３ｂの内部に吸引回収させ、その後密閉容器１４ａ、１４ｂのバッグフィルタ１３ａ、１３ｂ内の混濁冷却水に過圧を加圧して濾過させる。【選択図】      図２
2004188875.tif 000002
【特許請求の範囲】
【請求項１】
上端部がコンクリートドリルの穿孔箇所を覆うように配置されるガイド部に接続されるとともに下端部が冷却水を貯留するリザーバタンクに接続された密閉容器と、フィルタ素材により袋状に形成されるとともに上部が開口された状態で前記密閉容器内に収容配置されるバッグフィルタと、前記密閉容器内に負圧を生じさせるための負圧発生手段と、密閉容器内に収容されたバッグフィルタに溜められた混濁冷却水に過圧を生じさせる過圧発生手段及び、前記密閉容器内を前記負圧発生手段と過圧発生手段に交互に接続切り替えする切換手段とにより構成され、前記密封容器を負圧発生手段に接続することによって密閉容器内に負圧を生じさせてコンクリートドリルから混濁冷却水をバッグフィルタの内部に吸引回収させ、その後切換手段により密閉容器内が過圧発生手段に接続されることによりバッグフィルタ内の混濁冷却水を加圧してバッグフィルタを介して濾過させるようにしたことを特徴とするコンクリートドリル用の冷却水濾過システム。
【請求項２】
前記バッグフィルタを収容した密封容器を複数設置するとともに、前記切換手段がこれら複数の密閉容器を負圧発生手段と過圧発生手段とに交互に接続切り換えするように構成したことを特徴とする請求項１に記載のコンクリートドリル用の冷却水濾過システム。
【発明の詳細な説明】
【０００１】
【発明の属する技術分野】
本発明は、コアビットを電力や圧縮空気等の動力によって回転させてコンクリート壁や石材等に穴あけを行うコンクリートドリルにおいて、コアビットの刃先部に供給した冷却水を回収するとともに回収した冷却水を濾過して再度コンクリートドリルへ供給するようにしたコンクリートドリル用の冷却水濾過システムに関する。
【０００２】
【従来の技術】
コンクリートにより形成された建築物の壁面や床面又は基礎等にガスや水道又は冷暖房用の配管工事を行う際に、電力や圧縮空気等の動力によって駆動されるコンクリートドリルを使用してこれらの壁面等に穴あけ施工を行うことが行われている。コンクリートドリルの先端に形成されているチャック部に装着したコアビットにコンクリートドリル側から回転と振動を付与させて、コアビットの先端に形成した円筒状の穿孔刃によりコンクリート壁等に所定径の穴を穿孔させるものである。コアビットは中空状に形成され、この中空内を経由してコンクリートドリル側から冷却水が穿孔刃に供給されて穿孔刃を冷却させるとともにコアドリルにより研削されたコンクリートの穿孔屑を冷却水とともに排出するようにしている。この穿孔屑が混入した冷却水をコンクリートドリルの穿孔部から吸引して回収し穿孔屑で混濁した冷却水を濾過し、再度コンクリートドリルへ供給するようにした濾過システムが既に提案されている。
【０００３】
従来の冷却水濾過システムは、気密及び液密にシールされるとともに互いに導管によって接続された２個の容器を設け、大きい第１容器を負圧発生装置に接続して第１容器内に負圧を発生させて、穿孔屑で混濁した洗浄液体をコンクリートドリルの穿孔部から第１容器内に吸引して回収し、この第１容器内で穿孔屑を重力の作用によって沈殿させ、第１容器内の上澄みの洗浄水を液体ポンプによって導管を介して第２容器内へ供給し、この第２容器内に充填された洗浄液を前記ポンプによる過圧力によって第２容器内に設置されているフィルタを介して濾過しきれいな洗浄液体をコンクリートドリルへ再び供給するようにしている（例えば、特許文献１参照）。
【０００４】
【特許文献１】
特開平１１−３１１０８３号公報
【０００５】
【発明が解決しようとする課題】
上記従来の濾過システムでは、第１容器の底部に比較的大きな穿孔屑が沈殿して堆積し、更に第２容器の底部と第２容器の内部に設置されているフィルタの外側にも細かい穿孔屑が堆積する。これらの穿孔屑は第１容器と第２容器の内部に残っている洗浄水と一緒になっており、穿孔屑を廃棄して濾過システムを清掃する際には洗浄水と一緒に廃棄しなければならないので、処理性、廃棄効率が悪いという欠点があった。また、第１容器と第２容器の底部に沈殿した穿孔屑等の固形分は除去しにくく、充分に除去するにはそれぞれの容器をシステムから取り外して容器全体を清浄作業をする必要があり、清掃作業及び穿孔作業全体の効率を低下させていた。
【０００６】
本発明は上記従来技術における問題点を解消して、濾過した後の穿孔屑等の固形分の廃棄が容易に行えて、穿孔作業全体の効率を改善することができるコンクリートドリルの冷却水濾過システムを提供することを課題とする。
【０００７】
【課題を解決するための手段】
上記課題を解決するため本発明のコンクリートドリルの冷却水濾過システムは、上端部がコンクリートドリルの穿孔箇所を覆うように配置されるガイド部に接続されるとともに下端部が冷却水を貯留するリザーバタンクに接続された密閉容器と、フィルタ素材により袋状に形成されるとともに上部が開口された状態で前記密閉容器内に収容配置されるバッグフィルタと、前記密閉容器内に負圧を生じさせるための負圧発生手段と、密閉容器内に収容されたバッグフィルタに溜められた混濁冷却水に過圧を生じさせる過圧発生手段及び、前記密閉容器内を前記負圧発生手段と過圧発生手段に交互に接続切り替えする切換手段とにより構成され、前記密封容器を負圧発生手段に接続することによって密閉容器内に負圧を生じさせてコンクリートドリルから混濁冷却水をバッグフィルタの内部に吸引回収させ、その後切換手段により密閉容器内が過圧発生手段に接続されることによりバッグフィルタ内の混濁冷却水を加圧してバッグフィルタを介して濾過させるようにしたことを特徴とする。
【０００８】
また、請求項２の発明は、前記バッグフィルタを収容した密封容器を複数設置するとともに、前記切換手段がこれら複数の密閉容器を負圧発生手段と過圧発生手段とに交互に接続切り換えするように構成したことを特徴とする。
【０００９】
【発明の実施の形態】
以下、図に示す実施例に基づいて本発明の実施の形態を説明する。図１は本発明の冷却水濾過システム１を接続したコンクリートドリル２であり、コンクリートドリル２の本体の後端に形成されているグリップ３と本体の前方に形成されている補助グリップ４を両手で把持して穿孔作業が行えるようにされている。グリップ３に形成されているトリガ５を操作することによってモータ６が回転駆動されて先端部に形成されているチャック部７が回転され、チャック部７に装着されたコアビット８を回転駆動させ、このコアビット８をコンクリート等に押しつけることによってコアビット８の先端に形成された穿孔刃によってコンクリートが研削されて孔があけられる。
【００１０】
前記コンクリートドリル２のチャック部７に装着されたコアビット８の先端側にはコンクリートドリル２の前方へ伸縮自在なロッド９によって支持されているカップ状に形成されたガイド部材１０が配置されている。穿孔中にコアビット８の刃先部を冷却するための冷却水がコンクリートドリル２側からコアビット８の中心に形成されている開口を経由してコアビット８の刃先部に供給されるようにされており、コアビット８の刃先部に供給された冷却水はコンクリートの研削によって生成される穿孔屑とともに、コンクリート壁面等の穿孔面を覆うように配置される前記ガイド部材１０に接続されているホース１１を介して冷却水濾過システム１へ回収させ、該冷却水濾過システム１により穿孔屑を除去した後に再度ホース１２により再びコンクリートドリル２へ戻すように循環される。
【００１１】
冷却水濾過システム１は図２に示すように、各々の内部にバッグフィルタ１３ａ、１３ｂを装着できるようにされた複数の密閉容器１４ａ、１４ｂと、この密閉容器１４ａ、１４ｂ内に負圧を発生させる負圧発生手段１５と、密閉容器１４ａ、１４ｂ内に過圧を発生させる過圧発生手段１６と、前記負圧発生手段１５と過圧発生手段１６とを密閉容器１４ａ、１４ｂに選択的に接続させる切換手段１７及び、濾過された冷却水を蓄えるリザーバタンク１８とにより構成されている。
【００１２】
上記バッグフィルタ１３ａ、１３ｂは、例えばポリプロピリンやポリエチレン等の高分子化合物又は不織布等のコンクリート等の穿孔時に発生する穿孔屑を透過させない密度の柔軟な素材により上端が開口された袋状に形成されており、開口部の端縁にはバッグフィルタ１３ａ、１３ｂを前記密閉容器１４ａ、１４ｂ内で開口状態に保持するための鍔部が形成されている。
【００１３】
各密閉容器１４ａ、１４ｂは上部が開口された容器本体１９とこの容器本体１９の開口部を閉鎖するように形成された蓋部２０によって構成されており、この容器本体１９と蓋部２０の間に前記バッグフィルタ１３ａ、１３ｂの鍔部が狭持されており、バッグフィルタ１３ａ、１３ｂにより密閉容器１４ａ、１４ｂの内側に２つの室が形成されている。蓋部２０の上端は逆止弁２１を介して前記コンクリートドリル２のガイド部材１０に接続されているホース１１が接続されている。上記逆止弁２１は冷却水と空気とがホース１１を介して密閉容器１４ａ、１４ｂ内の方向へのみ流動できるように設定されており、密閉容器１４ａ、１４ｂ内の過圧空気及び密閉容器１４ａ、１４ｂ内の冷却水がホース１１側へ流出しないように作用している。
【００１４】
容器本体１９の底部は逆止弁２２を介してリザーバタンク１８に接続されており、前記バッグフィルタ１３ａ、１３ｂで濾過されて容器本体１９の底に溜まった冷却水が逆止弁２２を介してリザーバタンク１８へ流出できるようにされている。リザーバタンク１８は密閉された容器として形成されており、過圧発生手段１６の圧力を介してリザーバタンク１８内へ供給される冷却水と過圧空気の圧力によって、リザーバタンク１８内に溜められた冷却水がホース１２を介してコンクリートドリル２へ供給されるようにされている。なお、２３はリザーバタンク１８内の圧力が所定圧力以上になったときに過剰の圧力の空気を外部に放出してリザーバタンク１８内の圧力を一定に維持するためのリリーフ弁である。
【００１５】
更に前記蓋部２０には密閉容器１４ａ、１４ｂの内外を連通させる連通管２４が形成されており、該連通管２４は切換手段１７を介して負圧発生手段１５と過圧発生手段１６とに選択的に接続されるようにされており、密閉容器１４ａ、１４ｂが連通管２４を介して例えば吸引ポンプ等によって構成されている負圧発生手段１５に接続されることによって、密閉容器１４ａ、１４ｂ内の空気が負圧発生手段１５によって吸引されて負圧となって、コンクリートドリル２のガイド部材１０に接続されているホース１１を介して冷却水が穿孔屑とともに密閉容器１４ａ、１４ｂ内のバッグフィルタ１３ａ、１３ｂの内側に吸引されて回収されるようにされている。
【００１６】
また、密閉容器１４ａ、１４ｂが連通管２４を介して例えば空気圧縮機等によって構成されている過圧発生手段１６に接続されることによって、バッグフィルタ１３ａ、１３ｂの内側に溜められた穿孔屑によって混濁した冷却水に圧力が作用して、バッグフィルタ１３ａ、１３ｂによって濾過された冷却水がバッグフィルタ１３ａ、１３ｂの外側に浸出されて容器本体１９の底部に溜められる。容器本体１９に溜められた冷却水は密閉容器１４ａ、１４ｂ内の過圧圧力によって逆止弁２２を介してリザーバタンク１８へ排出される。穿孔屑等の固形分がバッグフィルタ１３ａ、１３ｂ内に堆積されて残る。
【００１７】
切換手段１７は、例えば電磁弁等により構成されており、負圧発生手段１５と過圧発生手段１６とを２つの密閉容器１４ａ、１４ｂに交互に切り換え接続させる。即ち、一方の密閉容器１４ａの連通管２４が負圧発生手段１５に接続されている時には他方の密閉容器１４ｂの連通管２４が過圧発生手段１６に接続され、一方の密閉容器１４ａの連通管２４が過圧発生手段１６に接続されている時には他方の密閉容器１４ｂの連通管２４が負圧発生手段１５に接続されるように作動する。この切換手段１７は２つの密閉容器１４ａ、１４ｂが負圧発生手段１５と過圧発生手段１６とに交互に切り変わるようにタイマー手段により所定の時間で切り換え作動するように制御される。このように２つの密閉容器１４ａ、１４ｂを切換手段１７によって切り換えることによって、コンクリートドリル２からの冷却水の回収と、回収した冷却水の濾過及びコンクリートドリル２への給水を連続的に行うことができる。
【００１８】
上記実施例にかかる冷却水濾過システム１の作動状態を図２及び図３により説明する。図２に示すように一方の密閉容器１４ａが切換手段１７によって負圧発生手段１５に接続されることにより一方の密閉容器１４ａ内の空気が負圧発生手段１５へ吸引され容器本体１９の下部に接続された逆止弁２２が遮断されるので密閉容器１４ａ内が負圧となる。この負圧によってコンクリートドリル２のガイド部材１０から穿孔屑が混濁された冷却水がホース１１を介して吸引されて一方の密閉容器１４ａ内に吸引されて、バッグフィルタ１３ａの内部に溜められる。
【００１９】
このとき、他方の密閉容器１４ｂは切換手段１７によって過圧発生手段１６に接続されており、過圧発生手段１６から圧縮空気が密閉容器１４ｂ内のバッグフィルタ１３ｂ内に供給され、バッグフィルタ１３ｂ内に溜められている穿孔屑により混濁された冷却水の上面を加圧させ、混濁した冷却水はバッグフィルタ１３ｂにより濾過され綺麗な冷却水がバッグフィルタ１３ｂの外側に浸出されて容器本体１９の底部に溜められ、逆止弁２２を介してリザーバタンク１８内へ供給される。リザーバタンク１８内に溜められた冷却水は密閉されているリザーバタンク１８内の圧力が上昇することによってこの圧力によりコンクリートドリル２へホース１２を介して供給される。バックフィルタ１３ｂ内には穿孔屑等の固形分のみが残されることになる。
【００２０】
上記切換手段１７はタイマーによって所定時間毎に切り換え作動するように制御されており、切換手段１７によって切り換えが行われると、図３に示すように、一方の密閉容器１４ａが過圧発生手段１６に接続され、これによって一方の密閉容器１４ａ内のバッグフィルタ１３ａ内に溜められた混濁冷却水に圧力がかけられてバッグフィルタ１３ａにより濾過された冷却水が逆止弁２２を介してリザーバタンク１８内に供給されてコンクリートドリル２へ供給される。このとき他方の密閉容器１４ｂが負圧発生手段１５に接続されて密閉容器１４ｂ内に負圧を生じさせて、この負圧によりコンクリートドリル２から混濁冷却水を密閉容器１４ｂ内へ吸引してバッグフィルタ１３ｂ内へ溜める。このように切換手段１７を切り換え作動させることによって２つの密閉容器１４ａ、１４ｂ内のバッグフィルタ１３ａ、１３ｂによって交互に回収と、濾過・供給を行わせるようにしているので冷却水の供給が中断されることなく連続的に行うことができる。
【００２１】
上記冷却水濾過システム１により濾過した後の穿孔屑は容器本体１９の底部には堆積しておらず、バッグフィルタ１３ａ、１３ｂ内のみに残った状態となり、バッグフィルタ１３ａ、１３ｂを蓋部２０を外した容器本体１９から取り出してバッグフィルタ１３ａ、１３ｂ内の穿孔屑等の固形分を簡単に廃棄することが可能である。
【００２２】
上記実施例では、切換手段１７をタイマーにより所定時間毎に切り換え作動するようにしているが、密閉容器１４ａ、１４ｂ内のバッグフィルタ１３ａ、１３ｂの上端開口部の位置にセンサーを配置して、バッグフィルタ１３ａ、１３ｂ内に回収した混濁冷却水の水位を検出することによって切換手段１７を切り換え作動させるように制御しても良い。更に、上記実施例では、バッグフィルタ１３ａ、１３ｂ内に過圧発生手段１６から圧縮空気を供給して、圧縮空気の圧力によって冷却水を濾過させるようにしているが、上端の開口を密閉させた状態でバッグフィルタ１３ａ、１３ｂの外側から押圧力を作用させてバッグフィルタ１３ａ、１３ｂを絞るようにして濾過させる方式を採用しても良い。
【００２３】
次に図４に示す本発明の他の実施例について説明する。この実施例では２つの密閉容器１４ａ、１４ｂから濾過された冷却水を溜めるためのリザーバタンク１８が上部が開放されている容器として形成されており、このリザーバタンク１８に溜められた濾過後の冷却水を、一端が前記コンクリートドリル２に接続され他端がリザーバタンク１８内の冷却水中に配置されたホース１２の中間に配置された液体ポンプ２５を介してコンクリートドリル２へ冷却水を供給するようにしたもので、他の構成は前述の実施例と同一である。このように液体ポンプ２５を介して冷却水をコンクリートドリル２へ供給するようにすることによって、冷却水の供給を安定して行うことが可能となる。
【００２４】
【発明の効果】
以上のように本発明の濾過システムによれば、密閉容器内に配置したバッグフィルタ内へ混濁冷却水を回収して、バッグフィルタの内側から混濁冷却水を加圧することで濾過させるようにしているので、濾過した後の穿孔屑等の固形物がバッグフィルタ内に残り、廃棄物がバッグフィルタ内で完全に固形分のみとなるので廃棄重量も軽くなり、密閉容器内からバッグフィルタを取り出すことによって穿孔屑の廃棄が簡単となる。また、密閉容器の容器本体内には固形分が堆積せずバッグフィルタ内だけの清掃で良いため清掃時間が短縮され穿孔作業全体の効率が向上する。
【００２５】
更に請求項２の発明によれば、バッグフィルタを収容した密閉容器を複数設置して、該密閉容器を負圧発生手段と過圧発生手段とに切換手段によってに交互に切り換えて接続するようにしているので、混濁した冷却水をコンクリートドリルから回収する工程と、濾過及び濾過後の冷却水をコンクリートドリルへ供給する工程が交互に切り換え作動されて、コンクリートドリルへの冷却水の供給が途切れることなく連続的に行わせることが可能であり、穿孔作業の作業効率が向上する。
【図面の簡単な説明】
【図１】本発明の冷却水濾過システムが接続されたコンクリートドリルの構成図
【図２】本発明の冷却水濾過システムの構成を示す説明図
【図３】切換手段により切り換えられた状態離図２と同じ冷却水濾過システムの説明図
【図４】他の実施例にかかる冷却水濾過システムの構成を示す説明図
【符号の説明】
１  冷却水濾過システム
２  コンクリートドリル
１０  ガイド部材
１１  ホース
１２  ホース
１３ａ、１３ｂ  バッグフィルタ
１４ａ、１４ｂ  密閉容器
１５  負圧発生手段
１６  過圧発生手段
１７  切換手段
１８  リザーバタンク
１９  容器本体
２０  蓋部
２１  逆止弁
２２  逆止弁
２４  連通管
２５  液体ポンプ
【図１】
2004188875.tif 000003
【図２】
2004188875.tif 000004
【図３】
2004188875.tif 000005
【図４】
2004188875.tif 000006